(57)【要約】      （修正有）【課題】パイル地からなる端縁部を処理するために、従来技術のようなヘム部を予め一体に織成することなく、また提案技術のような添糸等の他物を使用することなく、パイル地自体で端部処理したタオル製品を提供する。【解決手段】パイル地２０からなる端縁部２１をパイル地本体側へ折曲げて折重ね部３０を形成し、折重ね部３０の上部から複数本の糸を扁平に縫着して端部２５に扁平縫着部４０を形成し、パイル地の端縁部２１をパイル地原反から切り出された切断部２２とすることができ、パイル地の端縁部２１を扁平縫着部４０の内側に位置するように折重ね、また扁平縫着部４０の外側に折重ね部３０からなる折曲縁部３２を形成することができる。【選択図】図１
2012016436.tif 000002
【特許請求の範囲】
【請求項１】
パイル地からなる端縁部をパイル地本体側へ折曲げて折重ね部を形成し、前記折重ね部の上部から複数本の糸を扁平に縫着して端部に扁平縫着部を形成したことを特徴とするタオル製品。
【請求項２】
前記パイル地の端縁部がパイル地原反から切り出された切断部である請求項１に記載のタオル製品。
【請求項３】
前記パイル地の端縁部が前記扁平縫着部の内側に位置するように折重ねられている請求項１又は２に記載のタオル製品。
【請求項４】
前記扁平縫着部の外側に前記折重ね部からなる折曲縁部が形成されている請求項１ないし３のいずれか１項に記載のタオル製品。
【請求項５】
前記折曲縁部の幅が５ｍｍ以上形成されている請求項４に記載のタオル製品。
【請求項６】
前記扁平縫着部の幅が５ないし１５ｍｍである請求項１ないし５のいずれか１項に記載のタオル製品。
【請求項７】
前記折重ね部に１本糸の縫着による仮止め部が形成された後に、前記仮止め部を含む折重ね部の上部から複数本の糸を扁平に縫着して扁平縫着部が形成されている請求項１ないし６のいずれか１項に記載のタオル製品。
【請求項８】
前記扁平縫着部が３本のミシン針糸によって形成されており、かつ３本の内の中央部の針糸が前記仮止め部の仮止め糸に重ねて縫着されている請求項７に記載のタオル製品。
【請求項９】
前記扁平縫着部が複数本針のかがりミシンによって形成されている請求項１ないし８のいずれか１項に記載のタオル製品。
【請求項１０】
前記扁平縫着部が複数本針のかがりミシンの複数回の縫製によって形成されている請求項１ないし９のいずれか１項に記載のタオル製品。
【請求項１１】
前記扁平縫着部に装飾用布帛が一体に縫着されている請求項１ないし１０のいずれか1項に記載のタオル製品。
【請求項１２】
前記タオル製品が、タオルケット、バスタオル、スポーツタオル、フェイスタオル、ウオッシュタオル、タオルマット、タオルハンカチ、タオルマフラーのいずれかである請求項１ないし１１のいずれか1項に記載のタオル製品。
【請求項１３】
前記タオル製品が、バスローブ、乳幼児用肌着を含むタオル衣料品のいずれかである請求項１ないし１１のいずれか１項に記載のタオル製品。
【発明の詳細な説明】
【技術分野】
【０００１】
この発明は、タオル製品に関し、特には、タオルケット、バスタオル、スポーツタオル、フェイスタオル、ウオッシュタオル、タオルマット、タオルハンカチ、タオルマフラー等の各種タオル類、あるいはバスローブを含むタオル衣料品等のパイル地を有するタオル製品の改良構造に関する。
【背景技術】
【０００２】
従来のこの種タオルの一般的な構造は、タオル本体を構成するパイル地部分とタオルの端部（タテ耳部及びヨコ耳部）となる平織り組織（ヘム部）を一体に予め織成した後、前記平織り組織（ヘム部）で切断し、折曲げて三つ巻き縫いあるいは二つ折り縫い（袋縫い）による解れ止め端部処理を行って製品としていた。
【０００３】
上のように、従来は、パイル地の原反にタオル完成時にタオルの端部となる平織り組織（ヘム部）を予め織成する必要があり、事前にタオルのサイズと形状を決定しなければならないとともに、サイズや形状の変更に際しては織機の段取りをそのたびに変更しなけれなならず、製造上の大きな制約があった。
【０００４】
このような制約を解消することを目的として、下記の特許文献では、パイル組織のみ織成された原反から製品分の大きさのタオル本体を切り取り、該タオル本体の端部に沿って添糸を載置して、オーバーロックミシンを用いて前記タオル本体と前記添糸との全外周を覆うようにかがり縫いを行う技術が提案されている。
【先行技術文献】
【特許文献】
【０００５】
【特許文献１】特開２０１０−１１５４２０号公報
【発明の概要】
【発明が解決しようとする課題】
【０００６】
本願の発明は、パイル地からなる端縁部を処理するために、従来技術のようなヘム部を予め一体に織成することなく、また前記提案技術のような添糸等の他物を使用することなく、パイル地自体で端部処理したタオル製品を提供することを目的とする。この発明は、簡便な構造であるともに、タオル製品の種類や目的に応じて独特な風合いの端部を有するタオル製品を提供することを目的とする。さらに、この発明は、タオル製品の製造を飛躍的に簡便化かつ効率化させ、同時にタオル製品のサイズや形状はもちろんのこと、端部の特殊な構成を備えた変化に富んだ多種多様なタオル製品を、大量でも少量でも量に拘わらず、不利なく製造することができる技術を提案するものである。
【課題を解決するための手段】
【０００７】
すなわち、請求項１の発明は、パイル地からなる端縁部をパイル地本体側へ折曲げて折重ね部を形成し、前記折重ね部の上部から複数本の糸を扁平に縫着して端部に扁平縫着部を形成したことを特徴とするタオル製品に係る。
【０００８】
請求項２の発明は、前記パイル地の端縁部がパイル地原反から切り出された切断部である請求項１に記載のタオル製品に係る。
【０００９】
請求項３の発明は、前記パイル地の端縁部が前記扁平縫着部の内側に位置するように折重ねられている請求項１又は２に記載のタオル製品に係る。
【００１０】
請求項４の発明は、前記扁平縫着部の外側に前記折重ね部からなる折曲縁部が形成されている請求項１ないし３のいずれか１項に記載のタオル製品に係る。
【００１１】
請求項５の発明は、前記折曲縁部の幅が５ｍｍ以上形成されている請求項５に記載のタオル製品に係る。
【００１２】
請求項６の発明は、前記扁平縫着部の幅が５ないし１５ｍｍである請求項１ないし６のいずれか１項に記載のタオル製品に係る。
【００１３】
請求項７の発明は、前記折重ね部に１本糸の縫着による仮止め部が形成された後に、前記仮止め部を含む折重ね部の上部から複数本の糸を扁平に縫着して扁平縫着部が形成されている請求項１ないし６のいずれか１項に記載のタオル製品に係る。
【００１４】
請求項８の発明は、前記扁平縫着部が３本のミシン針糸によって形成されており、かつ３本の内の中央部の針糸が前記仮止め部の仮止め糸に重ねて縫着されている請求項７に記載のタオル製品に係る。
【００１５】
請求項９の発明は、前記扁平縫着部が複数本針のかがりミシンによって形成されている請求項１ないし８のいずれか１項に記載のタオル製品に係る。
【００１６】
請求項１０の発明は、前記扁平縫着部が複数本針のかがりミシンの複数回の縫製によって形成されている請求項１ないし９のいずれか１項に記載のタオル製品に係る。
【００１７】
請求項１１の発明は、前記扁平縫着部に装飾用布帛が一体に縫着されている請求項１ないし１０のいずれか1項に記載のタオル製品に係る。
【００１８】
請求項１２の発明は、前記タオル製品が、タオルケット、バスタオル、スポーツタオル、フェイスタオル、ウオッシュタオル、タオルマット、タオルハンカチ、タオルマフラーのいずれかである請求項１ないし１１のいずれか1項に記載のタオル製品に係る。
【００１９】
請求項１３の発明は、前記タオル製品が、バスローブ、乳幼児用肌着を含むタオル衣料品のいずれかである請求項１ないし１１のいずれか1項に記載のタオル製品に係る。
【発明の効果】
【００２０】
請求項１の発明によれば、パイル地からなる端縁部をパイル地本体側へ折曲げて折重ね部を形成し、前記折重ね部の上部から複数本の糸を扁平に縫着して端部に扁平縫着部を形成したことを特徴とするタオル製品に係るものであるから、パイル地からなる端縁部を処理するために、従来技術のようなヘム部を予め一体に織成する必要もなく、また近年提案されているような添糸等の他物を使用することなく、パイル地自体で端部処理したタオル製品を提供することができる。これによって、この発明は、簡便な構造であるともに、以下に述べる扁平縫着部のバリエーションによって、タオル製品の種類や目的に応じて独特な風合いの端部を有するタオル製品を提供することができる。この発明は、タオル製品の製造を飛躍的に簡便化かつ効率化させ、同時にタオル製品のサイズや形状はもちろんのこと、端部の特殊な構成を備えた変化に富んだ多種多様なタオル製品を、大量でも少量でも量に拘わらず、不利なく製造することができる。
【００２１】
請求項２の発明によれば、前記パイル地の端縁部がパイル地原反から切り出された切断部である請求項１に記載のタオル製品に係るものであるから、連続的に製造された汎用性のあるパイル地原反を使用することができ、製造上及び経済的に大きな有利性を有する。
【００２２】
請求項３の発明は、前記パイル地の端縁部が前記扁平縫着部の内側に位置するように折重ねられている請求項１又は２に記載のタオル製品に係るものであるから、解れやすいパイル地端縁部が前記扁平縫着部によって押え付けられているので解れることがなく、耐久性、外観性に優れる。
【００２３】
請求項４の発明は、前記扁平縫着部の外側に前記折重ね部からなる折曲縁部が形成されている請求項１ないし３のいずれか１項に記載のタオル製品に係るものであるから、タオル製品の端部には前記折重ね部からなる２重に折曲げられふんわりとした折曲縁部が現出され、従来の硬い周縁部とは違った風合いを提供できる。
【００２４】
請求項５の発明は、前記折曲縁部の幅が５ｍｍ以上形成されている請求項４に記載のタオル製品に係るものであるから、タオル製品の種類や大きさによって、ふんわりとした折曲縁部の大きさを変化させることができる。一般的なタオル製品では５〜１０ｍｍ、バスタオルやタオルケットの襟部などの柔らかい縁部が望まれるものにあっては、１５〜２０ｍｍ、あるいはそれ以上でもよい。
【００２５】
請求項６の発明は、前記扁平縫着部の幅が５ないし１５ｍｍである請求項１ないし６のいずれか１項に記載のタオル製品に係るものであるから、タオル製品の種類や大きさによって、扁平縫着部の幅を変えて確実な端部処理を行なうことができる。
【００２６】
請求項７の発明は、前記折重ね部が１本糸によって仮止めされた後に、前記仮止め部を含む折重ね部の上部から複数本の糸を扁平に縫着して扁平縫着部が形成されている請求項１ないし３のいずれか１項に記載のタオル製品に係るものであるから、仮止めによって、その後の扁平縫着部の形成が確実かつ容易になされることができ、端部処理の品質及び効率が向上する。
【００２７】
請求項８の発明は、前記扁平縫着部が３本のミシン針糸によって形成されており、かつ３本の内の中央部の針糸が前記仮止め部の仮止め糸に重ねて縫着されている請求項７に記載のタオル製品に係るものであるから、仮止め糸が案内となって３本のミシン針糸の扁平縫着部が確実に形成されるとともに美麗な端部処理を行なうことができる。
【００２８】
請求項９の発明は、前記扁平縫着部が複数本針のかがりミシンによって形成されている請求項１ないし８のいずれか１項に記載のタオル製品に係るものであるから、従来公知のミシンによって簡便かつ経済的に製作することができる。
【００２９】
請求項１０の発明は、前記扁平縫着部が複数本針のかがりミシンの複数回の縫製によって形成されている請求項１ないし９のいずれか１項に記載のタオル製品に係るものであるから、、タオル製品の種類や大きさによって、扁平縫着部の幅がを大きく変えることも、簡単かつ容易に確実に行なうことができる。
【００３０】
請求項１１の発明は、前記扁平縫着部に装飾用布帛が一体に縫着されている請求項１ないし１０のいずれか1項に記載のタオル製品に係るものであるから、例えば、レース地なども簡単かつ容易に付属することができる。
【００３１】
請求項１２の発明は、前記タオル製品が、タオルケット、バスタオル、スポーツタオル、フェイスタオル、ウオッシュタオル、タオルマット、タオルハンカチ、タオルマフラーのいずれかである請求項１ないし１１のいずれか1項に記載のタオル製品に係るものであるから、従来とは全く異なり、簡単かつ容易に各種の製品を製作できる。
【００３２】
請求項１３の発明は、前記タオル製品が、バスローブ、乳幼児用肌着を含むタオル衣料品のいずれかである請求項１ないし１１のいずれか1項に記載のタオル製品に係るものであるから、従来とは全く異なり、簡単かつ容易に各種のタオル衣料製品を製作できる。
【図面の簡単な説明】
【００３３】
【図１】この発明のタオル製品の実施例の構造の概略を図示したタオル端部の部分斜視図である。
【図２】図１のタオル端部を説明的に図示した平面図である。
【図３】パイル地の端縁部の折重ね状態を示す斜視図である。
【図４】パイル地の折重ね部に仮止め部を形成する状態を示す斜視図である。
【図５】パイル地の折重ね部に扁平縫着部を形成する状態を示す斜視図である。
【図６】タオル製品の端部処理の例を示した概略平面図である。
【図７】同じくタオル製品の具体例を示した概略平面図である。
【発明を実施するための形態】
【００３４】
図１に図示したように、この発明は、タオル１０等のタオル製品に関し、パイル地２０からなる端縁部２１をパイル地本体側へ折曲げて折重ね部３０を形成し、前記折重ね部３０の上部から複数本の糸を扁平に縫着して製品端部１１に扁平縫着部４０を形成したことを特徴とするとするものである。この発明は、タオル１０の製品端部１１に、図示のような、扁平縫着部４０を形成したものであるから、タオル地であるパイル地自体で端部処理をすることができるばかりでなく、それによって、従来にない独特の風合いのタオル製品１０を得ることができる。なお、この発明の扁平縫着部４０による端部処理は、タオル製品の全ての端部に対して行ってもよいが、後述する製品例のように、一部の端部のみに扁平縫着部４０を形成し他の端部には別の端部処理を行ってもよいことはいうまでもない。
【００３５】
請求項２の発明として規定したように、前記パイル地２０の端縁部２１はパイル地原反から切り出された切断部２２とすることができる。この発明では、連続的に製造された汎用性のあるパイル地原反を所望の大きさサイズに切断して使用することができ、製造上及び経済的に大きな有利性を有する。
【００３６】
折重ね部３０は、図示しかつ請求項３の発明として規定したように、前記パイル地２０の端縁部２１が前記扁平縫着部４０の内側、つまりパイル地本体側に位置するように折重ねられていることが好ましい。図２のように、パイル地２０の端縁部２１が前記扁平縫着部４０の糸Ｓによって押さえ付けられることによって、解れやすいパイル地２０の端縁部２１が解れることがなくなり、耐久性、外観性に優れる。
【００３７】
また、折重ね部３０に形成される扁平縫着部４０は、図示しかつ請求項４の発明として規定したように、折曲縁部３２の内側に形成されることが好ましい。すなわち、扁平縫着部４０の外側に折重ね部３０自体による折曲縁部３２が配置されることによって、タオル１０の端部１１に、当該折曲縁部３２によるパイル地２０が２重に折曲げられふんわりとした端部部分が現出され、従来の硬い周縁部とは違った風合いを提供できる。
【００３８】
請求項５の発明としても規定しかつ図２の平面図に図示したように、前記折曲縁部３２の幅ｗ１を５ｍｍ以上形成することにより、タオル製品の種類や大きさによって、ふんわりとした折曲縁部３２の大きさを変化させることができる。一般的なタオル製品では前記折曲縁部３２の幅ｗ１が５〜１０ｍｍ、バスタオルやタオルケットの襟部などの柔らかい縁部が望まれるものにあっては、前記折曲縁部３２の幅ｗ１が１５〜２０ｍｍ、あるいはそれ以上でもよい。
【００３９】
また、請求項６の発明として規定し図２に図示したように、前記扁平縫着部４０の幅ｗ２は５ないし１５ｍｍとすることが好ましい。タオル製品の種類や大きさによって、確実な端部処理を行なうために扁平縫着部の幅ｗ２を変えることができる。
【００４０】
図３ないし図５は、図１の実施例のタオル１０に扁平縫着部４０を形成する状態を順に表すものであって、まず、図３のように、パイル地２０の端縁部２１を所定幅でパイル地２０本体側へ折曲げて折重ね部３０が形成される。
【００４１】
図４は図３の折重ね部３０に１本糸の縫着による仮止め部４５を形成する状態を示す斜視図である。請求項７の発明としても規定したように、前記折重ね部３０に１本糸Ｓの縫着による仮止め部４５が形成された後に、前記仮止め部４５を含む折重ね部３０の上部から複数本の糸を扁平に縫着して扁平縫着部４０が形成すると、仮止め部４５によって、その後の扁平縫着部４０の形成が確実かつ容易に行なうことができ、端部処理の品質及び効率が向上する。図４の符号４６は一本針ミシンの針である。
【００４２】
また、図５は折重ね部３０に扁平縫着部４０を形成する状態を示す斜視図である。
図５の状態は、請求項８の発明として規定したように、扁平縫着部４０が３本のミシン針糸Ｓ１，Ｓ２，Ｓ３によって形成されており、かつ３本の内の中央部の針糸Ｓ２が前記仮止め部４５の仮止め糸Ｓに重ねて縫着されているものである。前記仮止め部４５の仮止め糸Ｓが案内となって３本のミシン針糸Ｓ１，Ｓ２，Ｓ３による扁平縫着部４０が確実に形成されるとともに美麗な端部処理を行なうことができる。図５の符号４１は三本針ミシンの針である。
【００４３】
図示し請求項９の発明としても規定したように、扁平縫着部４０の形成は、複数本針のかがりミシンによって形成することができるから、従来公知のミシンによって簡便かつ経済的に製作することができる。なお、ミシン操作によって扁平縫着部４０の縫い目の硬さを必要によりタイト又はソフトに変えることができる。
【００４４】
また、扁平縫着部４０は、請求項１０の発明として規定したように、複数本針のかがりミシンの複数回の縫製によって形成することもできる。図示しないが、例えば４本糸の扁平縫着部４０を形成する場合には、２本針のかがりミシンを使用して２回縫製する。あるいは、大判のタオルケットなどの場合には、扁平縫着部４０は６本糸や８本糸となることもあり、このような場合には２本、３本あるいは４本の複数本針のかがりミシンの複数回の縫製によって形成すればよい。タオル製品の種類や大きさによって、扁平縫着部４０の幅を大きく変えることも簡単かつ容易に確実に行なうことができる。
【００４５】
図６は、タオル製品の端部処理の例を示した概略平面図である。前記したように、この発明の扁平縫着部４０による端部処理は、タオル製品の全ての端部に対して行ってもよいが、製品によっては一部の端部のみに扁平縫着部４０を形成し他の端部には別の端部処理を行ってもよい。図６のタオル１０Ａは縦横の全周に亘ってこの発明の扁平縫着部４０による端部処理がなされている。同図のタオル１０Ｂは、縦方向の両側に扁平縫着部４０による端部処理がなされており、横方向の端部には別の端部処理、例えば従来の平織り組織（ヘム部）５０の織成なされている。
【００４６】
図６のタオル１０Ｃは、請求項１１の発明としても規定したようには、扁平縫着部４０に例えばレース布地６０のような装飾用布帛が一体に縫着されてたものである。このようなレース布地６０は扁平縫着部４０の縫着の最に簡単かつ容易に付属することができる。
【００４７】
図７はタオル製品の具体例を示した概略平面図である。図示し請求項１２の発明として規定したように、この発明に係るタオル製品は、タオルケット１０Ｄ、バスタオル１０Ｅ、スポーツタオル１０Ｆ、フェイスタオル１０Ｇ、ウオッシュタオル１０Ｈ、タオルハンカチ（図示せず）、タオルマフラー（図示せず）のいずれかとすることができる。図中符号４０は扁平縫着部を表す。この発明によれば、同一のパイル地原反から、この図のように、いろんな種類やサイズのタオル製品を簡単かつ容易に製作でき、シリーズ化などの製品ラインアップも容易に可能である。なお、タオルケット１０Ｄにあっては、前記したように、襟側に幅の大きい折曲縁部３２が形成されている。
【００４８】
さらに、この発明のタオル製品にあっては、請求項１３の発明として規定したように、図示しないが、バスローブ、乳幼児用肌着を含むタオル衣料品のパイル地の端部処理にも利用することもできる。
【符号の説明】
【００４９】
１０  タオル
１０Ａ〜１０Ｈ  タオル製品
２０  パイル地
２１  パイル地端縁部
２５  パイル地端部
３０  折重ね部
３２  折曲縁部
４０  扁平縫着部
４５  仮止め部
Ｓ    仮止め部の糸
Ｓ１，Ｓ２，Ｓ３  扁平縫着部の糸
ｗ１  折曲縁部の幅
ｗ２  扁平縫着部の幅
【図１】
2012016436.tif 000003
【図２】
2012016436.tif 000004
【図３】
2012016436.tif 000005
【図４】
2012016436.tif 000006
【図５】
2012016436.tif 000007
【図６】
2012016436.tif 000008
【図７】
2012016436.tif 000009